(57)【要約】【課題】簡単に取り付けることのできる光コネクタ用カバーを提供する。【解決手段】接続された状態の一対の光コネクタ７ａ，７ｂが収容される収容空間Ｓを備えたカバー１０であって、収容空間Ｓの接続方向長さＬ１が一対の光コネクタ７ａ，７ｂの接続方向長さＬ２よりも小さく、カバー１０の弾性変形により生じる復元力が一対の光コネクタ７ａ，７ｂを互いに接続方向Ｃに押し付けあわせ、接続方向Ｃと交差する方向において、カバー１０の弾性変形により生じる復元力によって一対の光コネクタ７ａ，７ｂが収容空間Ｓ内に保持され、収容空間Ｓの開口部１１に設けられ接続方向Ｃと交差する方向に突出する突起１８が光コネクタ７ａ，７ｂの収容空間Ｓからの脱出を防止している。【選択図】  図３
2014041299.tif 000002
【特許請求の範囲】
【請求項１】
一対の光ケーブルと、
一対の電気ケーブルと、
一対の前記光ケーブルを互いに光接続する一対の光コネクタと、
一対の前記電気ケーブルを互いに電気接続する一対の電気コネクタと、
一対の前記光コネクタの接続状態を維持する弾性変形可能なカバーと、
前記光コネクタおよび前記電気コネクタを収容するハウジングと、を有し、
前記カバーは、接続された一対の前記光コネクタが収容される収容空間を有し、
前記収容空間には、一対の前記光コネクタの接続方向と交差する方向に開口する開口部が設けられ、
前記開口部には、前記収容空間に収容された前記光コネクタの脱出を防ぐ突起が設けられ、
前記カバーは、前記収容空間を形成する側壁のうち前記収容空間に収容した前記光コネクタの接続方向に対向する部分に形成されたスリットを有し、
接続された一対の前記光コネクタは、前記突起より前記収容空間の内側に収容されているとともに、前記カバーの弾性復元力により前記接続方向に沿う方向および前記接続方向に交差する方向に挟まれて前記収容空間内に保持されていることを特徴とする光電気複合ケーブル。
【請求項２】
接続された一対の前記光コネクタが収容された前記収容空間のうち、前記開口部と前記光コネクタの一面とで形成される空間に、前記電気コネクタが搭載されていることを特徴とする請求項１に記載の光電気複合ケーブル。
【請求項３】
光電気複合ケーブルの一対の光コネクタを接続状態に維持する弾性変形可能なカバーであって、
前記カバーは、接続された一対の前記光コネクタが収容される収容空間を有し、
前記収容空間には、一対の前記光コネクタの接続方向と交差する方向に開口する開口部が設けられ、
前記開口部には、前記収容空間に収容された前記光コネクタの脱出を防ぐ突起が設けられ、
前記カバーは、前記収容空間を形成する側壁のうち前記収容空間に収容した前記光コネクタの接続方向に対向する部分に形成されたスリットを有し、
接続された一対の前記光コネクタは、前記突起より前記収容空間の内側に収容されるとともに、前記カバーの弾性復元力により前記接続方向に沿う方向および前記接続方向に交差する方向に挟まれて前記収容空間内に保持されることを特徴とする光コネクタ用カバー。
【請求項４】
接続された一対の前記光コネクタが収容された前記収容空間のうち、前記開口部と前記光コネクタの一面とで空間が形成されており、
光電気複合ケーブルの一対の電気コネクタは、前記空間に搭載可能であることを特徴とする請求項３に記載の光コネクタ用カバー。
【請求項５】
前記カバーは、前記接続方向と交差する方向に延びる横スリットを有していることを特徴とする請求項３または４に記載の光コネクタ用カバー。
【請求項６】
前記カバーは、前記開口部と向かい合う底壁を有し、
前記底壁には、前記接続方向に沿う方向に延びる縦スリットが設けられていることを特徴とする請求項３から５のいずれか一項に記載の光コネクタ用カバー。
【請求項７】
前記縦スリットからは、前記光コネクタから延びる光ケーブルが外部へ延出されていることを特徴とする請求項３から６のいずれか一項に記載の光コネクタ用カバー。
【請求項８】
前記カバーは、樹脂の一体成形により形成されていることを特徴とする請求項３から７のいずれか一項に記載の光コネクタ用カバー。
【請求項９】
光電気複合ケーブルの一対の光コネクタ同士を接続してカバーを装着することで、接続された一対の前記光コネクタ同士を接続状態に保持する接続方法であって、
前記カバーは、接続された一対の前記光コネクタが収容される収容空間と、前記収容空間の一面が開口した開口部と、前記開口部に設けられ前記収容空間に収容した前記光コネクタの脱出を防ぐ突起と、前記収容空間を形成する側壁のうち前記収容空間に収容した前記光コネクタの接続方向に対向する部分に形成されたスリットとを有し、
前記カバーを前記スリットの幅を拡げる方向に弾性変形させることで、前記開口部を拡げ、
拡げられた前記開口部から、接続された一対の前記光コネクタをその接続方向に交差する方向に前記収容空間に挿入し、
前記カバーの弾性変形を戻して、前記突起より前記収容空間の内側に前記光コネクタを収容するとともに、接続された一対の前記光コネクタを、前記カバーの弾性復元力により前記接続方向に沿う方向および前記接続方向に交差する方向に挟んで前記収容空間内に保持することを特徴とする接続方法。
【請求項１０】
接続された一対の前記光コネクタが収容された前記収容空間のうち、前記開口部と前記光コネクタの一面とで空間が形成されており、
光電気複合ケーブルの一対の電気コネクタ同士を接続して、接続された一対の前記電気コネクタを前記空間に搭載することを特徴とする、請求項９に記載の接続方法。
【発明の詳細な説明】
【技術分野】
【０００１】
本発明は、光電気複合ケーブル、光コネクタ用カバーおよび接続方法に関する。
【背景技術】
【０００２】
光ケーブルを接続する光コネクタを突き合わせた状態で保持する光コネクタ保持器として、特許文献１のものが知られている。特許文献１は光コネクタが丁度収まる収容空間を有する箱型のホルダ本体と、このホルダ本体を覆うためのスライドカバーとを備えた光コネクタ保持器を開示している。この光コネクタ保持器では、スライドカバーを光ケーブルの接続方向にずらしてホルダ本体を覆っている。
【先行技術文献】
【特許文献】
【０００３】
【特許文献１】特開２００５−２２７３３０
【発明の概要】
【発明が解決しようとする課題】
【０００４】
ところで近年、映像や音声などのデジタルデータ等を高速伝送するための通信ケーブルとして、例えばＨＤＭＩ（High-Definition Multimedia Interface）ケーブルが知られている。このようなＨＤＭＩケーブルとして、映像データや音声データなどの高速度の信号を伝送する光ケーブルと、機器の制御信号などの低速度の信号を伝送する電線とを備えた光電気複合ケーブルが用いられている。
【０００５】
特許文献１の光コネクタ保持器を光電気複合ケーブルに適用することが考えられる。ところが、光電気複合ケーブルからは光ケーブルのほかに電気ケーブルも密集した状態で延びているため、複数本の光ケーブルや電気ケーブルを避けてスライドカバーを接続方向にずらしてホルダ本体に被せることは容易ではなく、現実的では無い。
【０００６】
そこで本発明は、簡単に取り付けることのできる光コネクタ用カバー、これを用いた光電気複合ケーブル、および接続方法を提供することを目的とする。
【課題を解決するための手段】
【０００７】
上記課題を解決することのできる本発明の光電気複合ケーブルは、
一対の光ケーブルと、
一対の電気ケーブルと、
一対の前記光ケーブルを互いに光接続する一対の光コネクタと、
一対の前記電気ケーブルを互いに電気接続する一対の電気コネクタと、
一対の前記光コネクタの接続状態を維持する弾性変形可能なカバーと、
前記光コネクタおよび前記電気コネクタを収容するハウジングと、を有し、
前記カバーは、接続された一対の前記光コネクタが収容される収容空間を有し、
前記収容空間には、一対の前記光コネクタの接続方向と交差する方向に開口する開口部が設けられ、
前記開口部には、前記収容空間に収容された前記光コネクタの脱出を防ぐ突起が設けられ、
前記カバーは、前記収容空間を形成する側壁のうち前記収容空間に収容した前記光コネクタの接続方向に対向する部分に形成されたスリットを有し、
接続された一対の前記光コネクタは、前記突起より前記収容空間の内側に収容されているとともに、前記カバーの弾性復元力により前記接続方向に沿う方向および前記接続方向に交差する方向に挟まれて前記収容空間内に保持されていることを特徴とする。
【０００８】
上記本発明の光電気複合ケーブルにおいて、
接続された一対の前記光コネクタが収容された前記収容空間のうち、前記開口部と前記光コネクタの一面とで形成される空間に、前記電気コネクタが搭載されていてもよい。
【０００９】
上記課題を解決することのできる本発明の光コネクタ用カバーは、
光電気複合ケーブルの一対の光コネクタを接続状態に維持する弾性変形可能なカバーであって、
前記カバーは、接続された一対の前記光コネクタが収容される収容空間を有し、
前記収容空間には、一対の前記光コネクタの接続方向と交差する方向に開口する開口部が設けられ、
前記開口部には、前記収容空間に収容された前記光コネクタの脱出を防ぐ突起が設けられ、
前記カバーは、前記収容空間を形成する側壁のうち前記収容空間に収容した前記光コネクタの接続方向に対向する部分に形成されたスリットを有し、
接続された一対の前記光コネクタは、前記突起より前記収容空間の内側に収容されるとともに、前記カバーの弾性復元力により前記接続方向に沿う方向および前記接続方向に交差する方向に挟まれて前記収容空間内に保持されることを特徴とする。
【００１０】
上記本発明の光コネクタ用カバーにおいて、
接続された一対の前記光コネクタが収容された前記収容空間のうち、前記開口部と前記光コネクタの一面とで空間が形成されており、
光電気複合ケーブルの一対の電気コネクタは、前記空間に搭載可能としてもよい。
【００１１】
上記本発明の光コネクタ用カバーにおいて、
前記カバーは、前記接続方向と交差する方向に延びる横スリットを有していてもよい。
【００１２】
上記本発明の光コネクタ用カバーにおいて、
前記カバーは、前記開口部と向かい合う底壁を有し、
前記底壁には、前記接続方向に沿う方向に延びる縦スリットが設けられていてもよい。
【００１３】
上記本発明の光コネクタ用カバーにおいて、
前記縦スリットからは、前記光コネクタから延びる光ケーブルが外部へ延出されていてもよい。
【００１４】
上記本発明の光コネクタ用カバーにおいて、
前記カバーは、樹脂の一体成形により形成されていてもよい。
【００１５】
上記課題を解決することのできる本発明の接続方法は、
光電気複合ケーブルの一対の光コネクタ同士を接続してカバーを装着することで、接続された一対の前記光コネクタ同士を接続状態に保持する接続方法であって、
前記カバーは、接続された一対の前記光コネクタが収容される収容空間と、前記収容空間の一面が開口した開口部と、前記開口部に設けられ前記収容空間に収容した前記光コネクタの脱出を防ぐ突起と、前記収容空間を形成する側壁のうち前記収容空間に収容した前記光コネクタの接続方向に対向する部分に形成されたスリットとを有し、
前記カバーを前記スリットの幅を拡げる方向に弾性変形させることで、前記開口部を拡げ、
拡げられた前記開口部から、接続された一対の前記光コネクタをその接続方向に交差する方向に前記収容空間に挿入し、
前記カバーの弾性変形を戻して、前記突起より前記収容空間の内側に前記光コネクタを収容するとともに、接続された一対の前記光コネクタを、前記カバーの弾性復元力により前記接続方向に沿う方向および前記接続方向に交差する方向に挟んで前記収容空間内に保持することを特徴とする。
【００１６】
上記本発明の接続方法において、
上記の接続方法により光コネクタを接続することにより、
接続された一対の前記光コネクタが収容された前記収容空間のうち、前記開口部と前記光コネクタの一面とで空間が形成されており、
光電気複合ケーブルの一対の電気コネクタ同士を接続して、接続された一対の前記電気コネクタを前記空間に搭載してもよい。
【発明の効果】
【００１７】
本発明の光コネクタ用カバー、光電気複合ケーブルおよび接続方法によれば、簡単な構成により光ケーブルの光接続を安定的に維持することができる。
【図面の簡単な説明】
【００１８】
【図１】本発明の実施形態に係る光電気複合ケーブルを示す概略図である。
【図２】図１のコネクタ部を拡大して示す側断面図である。
【図３】本発明の実施形態に係るカバーの斜視図である。
【図４】図３のカバーを光コネクタに取り付けた様子を示す斜視図である。
【発明を実施するための形態】
【００１９】
以下、本発明に係る光電気複合ケーブルの実施の形態の例を、図面を参照して説明する。
【００２０】
図１は、実施形態に係る光電気複合ケーブルを示す概略図である。
図１に示したように、本実施形態に係る光電気複合ケーブル２は、一対の外部機器１ａ，１ｂを接続するために用いられる。一対の外部機器１ａ，１ｂからはそれぞれ機器側光電気複合ケーブル２ａ，２ｂが延出されている。この機器側光電気複合ケーブル２ａ，２ｂが、それぞれの接続端部に設けられたコネクタ部３ａ，３ｂを介して、接続用光電気複合ケーブル２ｃに接続されている。なお、機器側光電気複合ケーブル２ａ，２ｂには光電変換部が設けられていても良い。その場合には、外部機器１ａ，１ｂと電気コネクタのみで接続可能となる。
【００２１】
なお、本発明でいう光電気複合ケーブル２とは、接続側光電気複合ケーブル２ｃと、少なくとも一方の機器側光電気複合ケーブル２ａ，２ｂと、対応する少なくとも一方のコネクタ部３ａ，３ｂを含むものを指す。
【００２２】
このような光電気複合ケーブル２は、例えば、商業ステーションなどに設置された大型ディスプレイと、この大型ディスプレイに表示する情報を送信するサーバとを接続するケーブルとして用いられる。このような用途では、大型ディスプレイとサーバとの距離が比較的長い。このため、接続用光電気複合ケーブル２ｃを、外部機器１ａ，１ｂとは別に用意し、接続用光電気複合ケーブル２ｃのみを配線経路に沿って敷設し、その後、接続用光電気複合ケーブル２ｃの両接続端部に機器側光電気複合ケーブル２ａ，２ｂを介して外部機器１ａ，１ｂを接続すると、配線作業が容易である。
【００２３】
図２は、一方のコネクタ部３ａを拡大して示す側断面図である。なお、コネクタ部３ｂもコネクタ部３ａと同様の構成であるので、その説明は省略する。図示したように、光電気複合ケーブル２は、複数本の光ファイバ心線が束ねられた光ケーブル５と、複数の電気ケーブル６とを備え、光ケーブル５と電気ケーブル６とがまとめて樹脂製の外被４により覆われて保護されている。
【００２４】
コネクタ部３ａは、内部を保護するためのハウジング９を備えている。ハウジング９には、光ケーブル５および電気ケーブル６を覆う外被４が気密に取り付けられている。コネクタ部３ａの内部には、光ケーブル５の接続側端部に設けられた光コネクタ７ａ，７ｂと、電気ケーブル６の接続側端部に設けられた電気コネクタ８ａ，８ｂとが収容されている。
【００２５】
電気コネクタ８ａ，８ｂとしては、周知の構造のものを採用することができる。例えば、一方の電気ケーブル６の接続側端部には電気コネクタ８ａとしてオス端子を設け、他方の電気ケーブル６の接続側端部には電気コネクタ８ｂとしてメス端子を設け、オス端子とメス端子の嵌合により、複数組の電気ケーブル６，６の電気接続を維持することができる。
【００２６】
光コネクタ７ａ，７ｂには、その接続側端面に光ファイバ心線の端面が露出された状態で光ケーブル５が取り付けられている。一対の光コネクタ７ａ，７ｂは、ガイドピンなどを用いて互いの光ファイバ心線が向かい合うように位置合わせされている。このように互いの光ファイバ心線が位置合わせされた状態で、光コネクタ７ａ，７ｂの接続側端面同士を突き合わせることにより、機器側光電気複合ケーブル２ａの光ケーブル５と接続側光電気複合ケーブル２ｃの光ケーブル５とが光接続されている。このとき、光接続されている一対の光ファイバ心線の端面同士を互いに突き合わせるような外力を作用させつづけていないと、光接続が安定的に維持されない。
【００２７】
そこで本実施形態に係る光電気複合ケーブル２においては、弾性変形可能なカバー１０の弾性復元力により、一対の光コネクタ７ａ，７ｂの接続側端面同士を押し付け合い、光ケーブル５の光接続を維持している。図３および図４は、カバー１０の拡大斜視図である。なお、図３はカバー１０のみを示し、図４はカバー１０が一対の光コネクタ７ａ，７ｂに取り付けられた様子を示している。
【００２８】
図３および図４に示すように、カバー１０は、箱側形状の弾性部材により形成されている。弾性部材としては、適度な弾性を有するウレタンゴムなどを採用することができる。
【００２９】
カバー１０の内部には、上述した一対の光コネクタ７ａ，７ｂが接続された状態で収容される収容空間Ｓが形成されている。このカバー１０の上面には開口部１１が形成されており、収容空間Ｓはこの開口部１１を介して上方に開口している。なお、ここでは図３に示した姿勢に基づき、開口部１１側を上方、その反対側を下方と呼び、後述する接続方向Ｃを縦方向、接続方向Ｃと交差する方向を横方向と呼ぶことがあるが、カバー１０の使用時の姿勢はこれに限られない。
【００３０】
図３に示すようにカバー１０に外力が作用しない状態での収容空間Ｓの接続方向Ｃ（図４の矢印Ｃ方向）の長さＬ１は、図４に示す光接続された状態の一対の光コネクタ７ａ，７ｂの接続方向Ｃの長さＬ２よりもわずかに小さく設定されている。また、カバー１０に外力が作用しない状態での図３に示す収容空間Ｓの接続方向Ｃに直交する方向の幅Ｗ１は、図４に示す光接続された状態の一対の一対の光コネクタ７ａ，７ｂの接続方向Ｃに直交する方向の幅Ｗ２よりもわずかに小さく設定されている。したがって、カバー１０が接続方向Ｃおよび接続方向Ｃに直交する方向に若干拡げられた状態で、光コネクタ７ａ，７ｂは収容空間Ｓに収容されている。
【００３１】
またカバー１０は、開口部１１と向かい合う底壁１２と、底壁１２から立ち上がり収容空間Ｓを側方から囲む第一の側壁１３と第二の側壁１４とを備えている。第一の側壁１３は、光ケーブル５の接続方向Ｃに互いに向かい合う一対の側壁である。また、第二の側壁１４は、この接続方向Ｃに沿って延びて接続方向Ｃと交差する方向（図示の例では直交する方向）に互いに向かい合う一対の側壁である。
【００３２】
底壁１２には、第二の側壁１４に近接した位置に接続方向Ｃに延びる縦スリット１５と、第一の側壁１３に近接した位置に接続方向Ｃと交差する方向に延びる横スリット１６が設けられている。また、第一の側壁１３には、上方に開口して下方へ延びるスリット１７が設けられている。図４に示したように、このスリット１７からは、光コネクタ７ａ，７ｂから延びる光ケーブル５が外部に向けて延出されている。
【００３３】
また、第二の側壁１４の開口部１１側（上方側）には、互いに向かい合うように接続方向Ｃと交差する方向へ突出する一対の突起１８が設けられている。この突起１８は、図４に示すように、収容空間Ｓ内に光コネクタ７ａ，７ｂを収容した際に、光コネクタ７ａ，７ｂの上面の一部を覆うように突出する。これにより、収容空間Ｓに収容された一対の光コネクタ７ａ，７ｂが開口部１１から外部に脱出することを防止している。
【００３４】
このように、本実施形態に係るカバー１０によれば、カバー１０に作用する弾性復元力によって光コネクタ７ａ，７ｂが縦方向および横方向それぞれでカバー１０の内壁に挟まれて、収容空間Ｓ内に保持され、特に光コネクタ７ａ，７ｂ同士が接続方向Ｃに押し付けられているので、簡単な構成により一対の光ケーブル５，５の光接続を安定的に維持することができる。また、突起１８によって光コネクタ７ａ，７ｂが収容空間Ｓから外部に脱出することを防止している。
【００３５】
また、図２および４に示したように、接続された一対の光コネクタ７ａ，７ｂが収容された収容空間Ｓのうち、開口部１１と光コネクタ７ａ，７ｂの上面とで形成される空間Ｅに、電気コネクタ８ａ，８ｂが搭載されている。これにより、カバー１０の開口部１１を形成する壁１３，１４及び突起１８が電気コネクタ８ａ，８ｂの移動を阻止し、カバー１０に安定的に電気コネクタ８ａ，８ｂが搭載される。また、電気コネクタ８ａ，８ｂを光コネクタ７ａ，７ｂに接するように配置できるので、ハウジング９の上下方向の寸法が、カバー１０の厚みの分だけ小さくすることができる。
【００３６】
なお、図示していないが、電気コネクタ８ａ，８ｂを搭載する空間Ｅをカバー１０の下部にも設けても良い。光コネクタ７ａ，７ｂの上下に電気コネクタ８ａ，８ｂを接するように、電気コネクタ８ａ，８ｂをカバー１０に対して取り付けることができる。これにより、小さな空間に整然と光コネクタ７ａ，７ｂおよび電気コネクタ８ａ，８ｂを収容することができる。
【００３７】
次に、上述したような光コネクタ７ａ，７ｂの接続方法を説明する。機器側光電気複合ケーブル２ａと接続側光電気複合ケーブル２ｃとを接続するには、光コネクタ７ａ，７ｂ同士を突き合わせて固定することにより、光ケーブル５，５同士を光接続する。なお、各電気コネクタ８ａ，８ｂ同士を接続させて固定することにより、各電気ケーブル６，６同士を電気的に接続する。電気コネクタ８ａ，８ｂは、上述したように公知のものなので、電気コネクタ８ａ，８ｂ同士の接続方法については説明を省略する。また、機器側光電気複合ケーブル２ｂと接続側光電気複合ケーブル２ｃとを接続する方法も、機器側光電気複合ケーブル２ａと接続側光電気複合ケーブル２ｃとを接続する方法と同様である。
【００３８】
光ケーブル５，５同士は、以下に詳述するように、光コネクタ７ａ，７ｂをカバー１０に取り付けることにより、光接続が維持される。まず、例えば指で第二の側壁１４を矢印Ａで示すように外側へ開き、スリット１７を幅方向に拡げるように、すなわち開口部１１を横方向へ拡げるようにカバー１０を弾性変形させる。
このとき、接続方向Ｃに延びる縦スリット１５が設けられているので、カバー１０が変形しやすく、開口部１１を横方向へ大きく拡げることができる。また、横スリット１６によって、図３の矢印Ｂ方向に撓みやすくされており、第一の側壁１３が縦方向に拡がるようにカバー１０が弾性変形しやすくされている。これにより、開口部１１を縦方向にも拡げて光コネクタ７ａ，７ｂを収容空間Ｓに挿入しやすくされている。
【００３９】
次に、カバー１０が弾性変形した状態を維持したまま、光コネクタ７ａ，７ｂの接続側端部同士を突き合わせて光ケーブル５，５同士を光接続させた状態で、拡げた開口部１１から一対の光コネクタ７ａ，７ｂを接続方向Ｃに交差する方向に収容空間Ｓに挿入する。このとき、光コネクタ７ａ，７ｂから延出する光ケーブル５をスリット１７から外部に延出させるように配置する。
【００４０】
一対の光コネクタ７ａ，７ｂを収容空間Ｓ内に配置したら、例えば第二の側壁１４を押えていた指を離すなどして、カバー１０に負荷していた外力を解除し、カバー１０に弾性変形から復元する復元力を作用させる。すると、収容空間Ｓの接続方向長さＬ１は、収容している一対の光コネクタ７ａ，７ｂの接続方向長さＬ２よりも短いので、一対の第一の側壁１３は接続方向Ｃに沿う方向にわずかに拡がる。すると、カバー１０の弾性変形から戻ろうとする力により、光コネクタ７ａ，７ｂの接続端面同士を突き合わせるように、一対の第一の側壁１３は光コネクタ７ａ，７ｂを押圧する。つまり、接続方向Ｃにおいて、カバー１０の弾性変形により生じる復元力が、一対の光コネクタ７ａ，７ｂを互いに接続方向Ｃに押し付けあうように作用する。
【００４１】
また、収容空間Ｓの幅Ｗ１は、収容している光コネクタ７ａ，７ｂの幅Ｗ２よりも短いので、収容空間Ｓに光コネクタ７ａ，７ｂを収容した状態において、一対の第二の側壁１４は接続方向Ｃと直交する方向にわずかに広がる。したがって、カバー１０に生じた復元力により、一対の第二の側壁１４が光コネクタ７ａ，７ｂの側面（接続端面と交差する面）を横方向から押圧し、光コネクタ７ａ，７ｂを収容空間Ｓ内に保持する。つまり、接続方向Ｃと交差する方向において、カバー１０の弾性変形により生じる復元力によって一対の光ファイバが収容空間Ｓ内に保持される。
【００４２】
さらに、カバー１０が元の形状に戻ることで、突起１８が光コネクタ７ａ，７ｂの上面で横方向に突き出し、光コネクタ７ａ，７ｂが収容空間Ｓから外部に脱出することを防止する。
【００４３】
このように、本実施形態に係る光電気複合ケーブル２の接続方法によれば、開口部１１を拡げるようにカバー１０を弾性変形させて収容空間Ｓに光コネクタ７ａ，７ｂを挿入した後に弾性変形を戻して復元力を作用させるという簡単な操作で、光コネクタ７ａ，７ｂにカバー１０を取り付けることができる。このとき、カバー１０に設けられたスリット１７の幅を広げることで、開口部１１を横方向に拡げるようにカバー１０を弾性変形させやすい。これにより、ハウジング９の内部に光コネクタ７ａ，７ｂと電気コネクタ８ａ，８ｂとが配置されるような狭い空間でも、光コネクタ７ａ，７ｂ同士を確実に光接続することができ、またこの光接続状態を良好に維持することができる。
【００４４】
またこのとき、収容空間Ｓの接続方向長さＬ１が一対の光コネクタ７ａ，７ｂの接続方向長さＬ２よりも短いので、カバー１０の復元力によって一対の光コネクタ７ａ，７ｂの接続端面同士を押し付けあうことができる。これにより、簡単な操作で安定的に一対の光ケーブル５の光接続を維持することができる。
【００４５】
さらに、収容空間Ｓに収容された光コネクタ７ａ，７ｂの上面に突出する突起１８により、光コネクタ７ａ，７ｂが開口部１１を介して外部に脱出することが防止されている。これにより、より確実に光コネクタ７ａ，７ｂ同士の光接続が維持されている。
【００４６】
なお、光コネクタ同士を突き合わせるために、特許文献１のように、金属バネを光コネクタ保持器に組み込む場合には、光コネクタ保持器や金属バネが小さい部品であるため、その組み付け作業性が悪い。また、金属バネを取り付ける際に専用治具が必要になるので、組み立てコストが嵩む。さらに、金属バネの取付時に光ファイバを損傷する虞がある。
しかし本実施形態に係る光コネクタの接続方法によれば、カバー１０全体が弾性体で形成されているので金属バネなどを取り付ける作業がなく、また組み立て時に専用の治具が不要であり、組み立て作業性がよい。また、カバー１０が光ケーブル５中の光ファイバに損傷を与える虞が無い。
【００４７】
なお、底壁１２を厚く形成した場合であっても、縦スリット１５や横スリット１６が底壁１２に設けられていることにより、底壁１２の剛性が低減され、開口部１１を横方向や縦方向に拡げることが容易とされている。
【００４８】
なお、スリット１７が開口部１１側に開口しているため、光コネクタ７ａ，７ｂを収容空間Ｓに挿入する際、光ケーブル５をこのスリット１７を介して外部に延出させると、容易に挿入することができる。
【００４９】
また、図３に示したように、本実施形態においては、カバー１０に接続方向Ｃと交差する方向に延びる横スリット１６が設けられている。これにより、収容空間Ｓに光コネクタ７ａ，７ｂを押し込む際に、カバー１０が図３の矢印Ｂ方向に撓みやすくなり、光コネクタ７ａ，７ｂを押し込みやすくなる。この横スリット１６は、図示したように底壁１２に設けてもよいし、第二の側壁１４に設けても良い。
【００５０】
また、本実施形態によれば、上述のように光コネクタ７ａ，７ｂにカバー１０を取り付けた後、収容空間Ｓの光コネクタ７ａ，７ｂに占められなかった空間が電気コネクタ８ａ，８ｂの一部を収容する空間Ｅとして利用されている。これにより、ハウジング９の内部のように狭い空間に整然と光コネクタ７ａ，７ｂおよび電気コネクタ８ａ，８ｂを配置することができる。
【００５１】
以上、本発明の光コネクタ用カバー、光コネクタの接続方法および光電気複合ケーブルを実施形態を挙げて説明したが、本発明は前述した実施形態に限定されるものでなく、適宜な変形，改良等が可能である。
【００５２】
例えば、カバー１０や光コネクタ７ａ，７ｂの形状は上述した形状に限らず、適宜変更してもよい。また、上述した実施形態においては、機器側光電気複合ケーブル２ａ，２ｂおよび接続用光電気複合ケーブル２ｃがそれぞれ一本ずつ光ケーブル５を備えた構造を例に挙げて説明したが、機器側光電気複合ケーブル２ａ，２ｂおよび接続用光電気複合ケーブル２ｃがそれぞれ複数本の光ケーブル５を備えていてもよい。
【００５３】
また、カバー１０の側面にも、電気コネクタ８ａ，８ｂの形状に沿った形状に形成され、電気コネクタ８ａ，８ｂを搭載可能な電気コネクタ受け部を設けても良い。これにより、ハウジング９内に光コネクタ７ａ，７ｂと多くの電気コネクタ８ａ，８ｂとを収容する際に、光コネクタ７ａ，７ｂと電気コネクタ８ａ，８ｂとを一体に取り扱うことができ、作業性を向上することができる。また、開口部１１の形状を電気コネクタ８ａ，８ｂに対応する形状とし、光コネクタ７ａ，７ｂの上面と開口部１１とが形成する段差に、電気コネクタ８ａ，８ｂが搭載されるように構成してもよい。
【符号の説明】
【００５４】
１ａ，１ｂ：外部機器、２：光電気複合ケーブル、２ａ，２ｂ：機器側光電気複合ケーブル、２ｃ：接続用光電気複合ケーブル、３ａ，３ｂ：コネクタ部、４：外被、５：光ケーブル、６：電気ケーブル、７ａ，７ｂ：光コネクタ、８ａ，８ｂ：電気コネクタ、９：ハウジング、１０：カバー、Ｓ：収容空間、１１：開口部、１２：底壁、１３：第一の側壁、１４：第二の側壁、１５：縦スリット、１６：横スリット、１７：スリット、１８：突起
【図１】
2014041299.tif 000003
【図２】
2014041299.tif 000004
【図３】
2014041299.tif 000005
【図４】
2014041299.tif 000006